(57)【特許請求の範囲】
【請求項１】
ケーブルアセンブリであって、
複数のディファレンシャルケーブル対を含み、前記複数のディファレンシャルケーブル対は並列の関係に配置されて第１の端部から第２の端部まで延びるフラットリンクケーブルを形成し、さらに
前記複数のディファレンシャルケーブル対の周りに形成される絶縁材料の外装シースを含み、
前記複数のディファレンシャルケーブル対の各々は、並列の関係に配置されかつ誘電媒体内に配置される２つのワイヤを含み、前記誘電媒体は前記ワイヤをある長さにわたって一定の隣同士の空間関係を保つように埋込み、前記誘電媒体の外側表面の周りには金属のシールドが配置され、
前記リンクケーブルの第１の端部に電気的に接続されるインターフェイスアダプタをさらに含み、前記インターフェイスアダプタはケーブルテスト器具と接続するためのコネクタを含み、
前記インターフェイスアダプタは、前記リンクケーブル内に固有の反射減衰量に関連する較正データを含むためのメモリをも含む、ケーブルアセンブリ。
【請求項２】
ケーブルアセンブリであって、
複数のディファレンシャルケーブル対を含み、前記複数のディファレンシャルケーブル対は並列の関係に配置されて第１の端部から第２の端部まで延びるフラットリンクケーブルを形成し、さらに
前記複数のディファレンシャルケーブル対の周りに形成される絶縁材料の外装シースを含み、
前記複数のディファレンシャルケーブル対の各々は、並列の関係に配置されかつ誘電媒体内に配置される２つのワイヤを含み、前記誘電媒体は前記ワイヤをある長さにわたって一定の隣同士の空間関係を保つように埋込み、前記誘電媒体の外側表面の周りには金属のシールドが配置され、
前記リンクケーブルの前記第２の端部に電気的に接続されるパーソナリティモジュールをさらに含み、前記パーソナリティモジュールはネットワークポートに接続するためのコネクタを有し、
前記パーソナリティモジュールは、前記リンクケーブルの前記第２の端部に取外し可能
に装着され、
前記パーソナリティモジュールは、各々が特定のネットワークポートに整合する特性を有する複数の交換可能なパーソナリティモジュールのうちの１つであり、
前記パーソナリティモジュールは、前記ネットワークコネクタに関連してストアされた情報を含むメモリ装置を含み、前記リンクケーブルはさらに、前記複数のディファレンシャルケーブル対に沿って延在するデータケーブルを含み、前記データケーブルの一方の端部は前記メモリ装置に電気的に接続可能であり、前記データケーブルの他方の端部はケーブルテスト器具に電気的に接続可能である、ケーブルアセンブリ。
【請求項３】
前記金属シールドは、少なくとも１つの金属表面を有するテープを前記誘電媒体の周りに第１の方向に巻付けることにより形成される第１のシールドと、少なくとも１つの金属表面を有する前記テープを前記第１のシールドの周りに、前記金属表面が互いに接触するよう第２の方向に巻かれることにより形成される第２のシールドとを含む、請求項１または２に記載のケーブルアセンブリ。
【請求項４】
前記第１のシールドと前記第２のシールドとの間に、前記金属表面と電気的に接触して配置されるドレインワイヤをさらに含む、請求項３に記載のケーブルアセンブリ。
【請求項５】
前記第１および第２のシールドの外側に配置される磁気材料の第３のシールドをさらに含む、請求項３に記載のケーブルアセンブリ。
【発明の詳細な説明】
【０００１】
【発明の背景】
この発明は一般的にネットワークケーブルのテストに関し、特にネットワークにインターフェイスするためのケーブルアセンブリを備えたネットワークケーブルテスト器具の提供に関する。
【０００２】
ローカルエリアネットワーク（ＬＡＮ）の架設およびテストに対する増大する要求に応じるために、テスト装備は素早く正確にケーブル配線の品質を保証し、かつ問題を分析しなければならない。ＬＡＮは典型的には、撚り対ＬＡＮケーブルを用いてコンピュータ、プリンタなどのシステム装置をまとめて物理的に接続することにより実現化されるが、最も一般的なのはカッド撚り対データケーブルとして公知のものである。この種のケーブルは、非シールド付き撚り対線型「ＵＴＰ」ケーブルであり、８本のワイヤケーブルが４つの撚り対として構成される。電気通信産業協会（Telecommunication Industry Association ＴＩＡ）として公知である産業団体が、最小漏話分離、ある周波数範囲にわたるデータスループット率などの、これらのケーブルの品質と性能に対する基準を公表している。
【０００３】
Ｆｌｕｋｅ  ＤＳＰ−４０００として公知である１つの先行技術のネットワークケーブルテスト器具は、リンクインターフェイスケーブルを介してＬＡＮに接続するが、これは上述のようにカッド撚り対データケーブルであるパッチコードを含む。事実このテスタは、交換可能なモジュールと異なった種類のコネクタを備えたパッチコードリンクを用いてさまざまなネットワークおよびコネクタ型に接続する能力を有する。パッチコードとコネクタとを備えたリンクインターフェイスケーブルは、典型的には信頼性および安定性の面において最も問題の多いリンクであり、ＬＡＮケーブルのテストにおいては性能が悪く許容不可能な漏話を有する。この理由から、近端のコネクタおよびパッチコードの漏話応答を測定して数学的定数を生成し、測定値から不所望の漏話を減算するために実質的にこれを用いる。近端漏話を求めるための１つのプロセスは米国特許第５，５３２，６０３号に記載されており、パッチコードにおける漏話を求めるためのプロセスは米国特許第５，８２１，７６０号に記載される。数学的定数はインターフェイスモジュール内に較正データとしてストアされ、ネットワークケーブルテスト器具がその意図された測定環境において用いられる場合、ケーブル架設者またはネットワーク技術者に、インターフェイスリンクおよびコネクタに付随する漏話のような不所望の性能特性を減算するためにテスト下のケーブルの正確な評価を示す。
【０００４】
交換可能なリンクインターフェイスケーブル、または異なったコネクタを備えたパッチコードを備えると、異なったＬＡＮシステムをテストすることが可能になるが、ネットワークケーブルテスト器具の使用者がこれらを作業ごとに持ち運ぶことが必要になる。典型的には３〜６フィート長さであろうリンクインターフェイスケーブルは、使用しないときには巻いてもよいが、それでもかなり嵩が高い。これはテスト場所ごとにいくつもの異なったリンクインターフェイスケーブルをネットワークケーブルテスト器具とともに運ばなければならない場合に、問題であろう。
【０００５】
先行技術のリンクインターフェイスケーブルの主な不利点は、使用につれてカッド撚り対パッチコードの電気的特性が変化し、測定の精度に影響を与えることである。パッチコードを巻くかまたは解くことでさえ電気的特性に変化をもたらし、これは１回ごとには僅かな変化であるかもしれないが、時間の経過に伴って累積する。もちろん、通常の使用に伴う出来事、たとえば重量のある物体をカッド撚り対パッチコードの上に落下させたり、これを踏み付けたり、強く巻きすぎたり、またはキンクを生じさせたりすることも、撚り対線に、よって電気的特性に物理的変化をもたらす。深刻な問題は、ユーザは特性が変化したことに気づかずに、ＬＡＮ測定値の精度が影響を受けることである。
【０００６】
ベルデン・ワイヤ・アンド・ケーブル・カンパニー（Belden Wire and Cable Company）によって製造され、かつ米国特許第５，３０３，６３０号に記載されるようなシールド付きカッド撚り対線を有するリンクインターフェイスケーブルは、漏話と干渉とが減じられたいくらかの測定を示すが、撚り対線に繰返し加えられる応力によって生ずる、電気的特性における累積する変化の問題は解決していない。
【０００７】
使用につれても安定し続け、かつ上述の問題を最小化するリンクインターフェイスケーブルアセンブリを提供することが望ましい。
【０００８】
【発明の要約】
この発明に従うと、リンクケーブルアセンブリは、ネットワークケーブルテスト器具とテストされるべきネットワークとの間にインターフェイスとして提供される。
【０００９】
リンクケーブルアセンブリは、リンクケーブルを含み、該リンクケーブルの一端にはインターフェイスアダプタが固定して装着され、これはケーブルをテスト器具に接続するための器具コネクタを有し、該リンクケーブルの遠端には取外し可能に装着されたいくつもの交換可能なコネクタパーソナリティモジュールのうちの１つを含み、これはケーブルテスト器具によってテストされるべきネットワークに接続するためのネットワークコネクタを有する。リンクケーブルは好ましくは、複数のシールド付きディファレンシャルワイヤ対（shielded differential pairs of wire）を含む。複数のディファレンシャルワイヤ対の各々は、誘電媒体内に並列関係に配置される２つのワイヤを含み、このワイヤは公称１００オーム特性インピーダンスをもたらす一定間隔に保たれる。シールドは、漏話と磁気干渉とを最小化するために提供される。複数のディファレンシャルワイヤ対もまた、外装シースまたはジャケット内に並列関係に配置され、その結果すべてのワイヤが同一平面上、または同一平面に極めて近く配置される。これは漏話を減じる助けとなるばかりでなく、不適切にディファレンシャルワイヤ対に応力を与えるかまたはケーブル性能特性を永久的に変化させることなく湾曲させるか屈曲させることのできる、耐久性があり信頼性のある「フラット」ケーブルをもたらす。
【００１０】
較正データは、インターフェイスアダプタおよびコネクタパーソナリティモジュールのいずれかまたはそれらの両方内にストアされて、広い周波数範囲にわたってケーブル測定値から効率的に「パッチコード」に固有の反射減衰量を除去することを可能にする。データリンクは、テスト器具がコネクタパーソナリティモジュール内のメモリから識別情報と較正データとを検索することを可能にする埋込データケーブルを含む。こうして、リンクインターフェイスケーブルアセンブリはコネクタパーソナリティモジュールの交換可能性を特徴とする一方で、常にネットワークポートに対して較正されている。
【００１１】
この発明の他の特徴および利点は、添付の図面と併せて以下の説明を読むことにより、当業者においては明らかとなるであろう。
【００１２】
【詳細な説明】
図１を参照すると、この発明に従った、リンクインターフェイスケーブルアセンブリ１４を介してネットワーク１２に接続するネットワークケーブルテスト器具１０が示される。リンクインターフェイスケーブルアセンブリ１４は、直接ケーブルテスト器具１０に接続する器具コネクタを有するインターフェイスアダプタ１６を含み、該インターフェイスアダプタ１６はリンクケーブル１８の遠端に固定して装着され、リンクインターフェイスケーブルアセンブリ１４はさらに、ネットワークに接続するネットワークコネクタを有するコネクタパーソナリティモジュール２０を含み、コネクタパーソナリティモジュール２０はリンクケーブル１８の遠端に取外し可能に装着される。以下に明らかとなるように、インターフェイスアダプタ１６とリンクケーブル１８とは、テスト器具１０に対して長期間にわたり使用することができ、パーソナリティモジュール２０は、ケーブルテスト器具が接続されるネットワークおよびコネクタの種類に応じて交換可能である。
【００１３】
以下に説明される理由から、リンクケーブル１８は好ましくは複数のシールド付きディファレンシャルワイヤ対を含む。性能因子の低下とケーブル寿命の短縮が許容できるのであれば、上述の米国特許第５，３０３，６３０号で教示されるシールド付き撚り対線を備えたリンクケーブルをインターフェイスアダプタ１６とコネクタパーソナリティモジュール２０とともに用いることも可能である。
【００１４】
コネクタパーソナリティモジュール２０は複数の異なったパーソナリティモジュールを代表するものであるが、各々はコネクタとネットワークポートとに応じて、典型的にはＰＪ−４５コネクタまたは同軸コネクタなどである、異なった種類のコネクタに対応する。これにより、コネクタパーソナリティモジュールはリンクケーブル１８の遠端に容易に接続または切断することができる。本明細書において「近端」および「遠端」は、リンクインターフェイスケーブルアセンブリにのみ関連するものであり、これらの用語が異なって解釈される可能性のあるネットワーク１２には関連しないことを留意されたい。
【００１５】
コンピュータワークステーションおよびプリンタなどの所望の周辺機器を有する典型的なオフィス環境などの任意のローカルエリアネットワークであり得るネットワーク１２を、嵌合コネクタ２４および２６を介してネットワークポートでパーソナリティモジュール２０に接続するケーブル２２を有する不規則形状によって図示する。インピーダンス整合の目的のために、ネットワークケーブル配線およびリンクケーブル１８は両方とも１００オームの公称特性インピーダンスを有することを想定する。図示されないが、ここで記載されるように別のリンクインターフェイスケーブルを介してネットワーク１２の遠隔地点にリモートユニットが接続されてもよいことを理解されたい。
【００１６】
図２は、図１に示されるリンクインターフェイスケーブルアセンブリ１４の概略図であって、インターフェイスアダプタ１６、リンクケーブル１８およびコネクタパーソナリティモジュール２０を含む。リンクケーブル１８は好ましくは複数のシールド付きディファレンシャルワイヤ対（撚り対線ではない）を含み、これを４つのシールド付きディファレンシャルワイヤ対３０Ａ−３０Ｂ、３２Ａ−３２Ｂ、３４Ａ−３４Ｂ、および３６Ａ−３６Ｂとして示し、各々はネットワーク１２内のケーブル配線のインピーダンスに整合するよう１００オームの公称特性インピーダンスを有する。しかしながら、電気的特性の劣化またはケーブル寿命の短縮が許容可能であれば、上述のようにリンクケーブルとしてシールド付き（またはシールドなし）撚り対線をも用い得ることに留意されたい。インターフェイスアダプタ１６は、リンクケーブル１８の器具コネクタ３８への電気的接続を容易にし、好適にはプリント回路板などのケーブル終端ブロックを含むことができ、ここには器具コネクタ、複数のディファレンシャルワイヤ対およびそれらのシールドが電気的に接続される。コネクタパーソナリティモジュール２０は同様に、リンクケーブル１８のネットワークコネクタ２４への電気的接続を容易にし、その詳細を図５に関連して後で説明する。インターフェイスアダプタ１６とコネクタパーソナリティモジュール２０の両方が各々、好適には電気的にプログラム可能である書込／読出メモリ（ＥＥＰＲＯＭ）４０および４２をそれぞれ含む。ＥＥＰＲＯＭ４０がインターフェイスモジュール１６およびリンクケーブル１８に対する較正データをストアする一方、ＥＥＰＲＯＭ４２は、コネクタパーソナリティモジュール２０に対する識別情報および較正データをストアする。これらは併せて、インターフェイスリンクアダプタ１４のためのストアされた較正データを提供する。ストアされた較正データは、リンクケーブル１８のある範囲の周波数をわたる反射減衰量に関連する。したがって、較正データは主に固有の反射減衰量のためにリンクインターフェイスケーブルアセンブリ１４ごとに異なる。リンクケーブル１８は、以下に説明するように剛性のある仕様に製造され、極めて安定性を保つことができる。リンクケーブル１８はまた、６本ワイヤリボンケーブルなどのマルチワイヤデータケーブル４４を好適に含んでもよく、それによりＥＥＰＲＯＭ４２内にストアされる較正データにケーブルテスト器具１０がアクセス可能になる。すると動作上、ケーブルテスト器具１０はパーソナリティモジュール２０に対して較正され、先行技術の器具のようなパッチコード反射減衰量および漏話を参酌するために特定の技術に依存する必要がない。
【００１７】
これに代えて、パーソナリティモジュール４２の識別のみが所望であれば、ＥＥＰＲＯＭ４２は問合せがあった場合にそのような情報をすぐに提供できる他の構成要素に、たとえばラッチまたはシフトレジスタ、もしくは単なる公知の値の抵抗器に配置することもできる。そのような場合においてはケーブル４４は特定の状況に整合するようにより少ない、またはより多いワイヤを担持し得る。
【００１８】
図３は、構築されテストされた実施例におけるリンクケーブル１８のために用いられる単一シールド付きディファレンシャルワイヤ対の構造の詳細を示す図である。ワイヤ対５０および５２は、誘電媒体５４内で平置され、リンクケーブル１８の長さにわたって一定の隣同士の空間関係を保つ。この実施例におけるワイヤ５０および５２は、２６アメリカ・ワイヤ・ゲージ規格（ＡＷＧ）銀めっき撚り銅線である。誘電媒体５４は、ワイヤ５０と５２との間で約２．２８の相対誘電定数を有する押出ポリエチレンである。ディファレンシャル特性インピーダンスは公称１００オームである一方、コモンモードインピーダンスは２８〜３８オームの範囲内である。（２０℃での）直流抵抗は約０．１オーム／メートルである。全体の長さは公称は５０インチであるが、この長さは重要ではなく、実際的な使用には短すぎるケーブルと、反射減衰量、漏話および減衰などの理由から長すぎるケーブルとの間で折り合いをつけたものである。
【００１９】
第１のシールド５６と第２のシールド５８とは、マイラー（Mylar）などのポリカーボネート材料から形成され、テープ形状であって０．９２ｍｉｌ（２３．３６８μｍ）の全体公称厚さを有し、一方の表面に９ミクロンのアルミニウムコーティングを有する。テープの公称の幅は０．３７５インチ(９．５２５ｍｍ）である。「公称」という用語はこの明細書中では設計仕様に関して用いられ、実際の寸法はわずかに変動し得る。第１のシールド５６は、アルミニウムコーティングを外側にして、１巻きごとに１０％が重なるように誘電媒体５４のまわりに反時計回りでテープを螺旋状に巻付けることにより形成される。２６ＡＷＧ銀めっき中実銅線であるシールドドレイン線６０は、ディファレンシャル対５０−５２の片側の上に第１のシールド５６の軸方向に沿って配置される。第２のシールド５８は、アルミニウムコーティングを内側にして、やはり１巻きごとに１０％が重なるよう第１のシールド５６とシールドドレイン線６０とのまわりに時計回りでテープを螺旋状に巻付けることにより形成される。すなわち、２つのシールドのアルミニウムコーティングは互いに対して直接電気的に接触し、シールドドレイン線６０はインターフェイスアダプタ１６およびコネクタパーソナリティモジュール２０の両方の接地平面に電気的に接続される完全なシールド構造を形成する。このシールドは、ディファレンシャル対の間の漏話を最小化する。編組鋼ワイヤまたは鉄含浸もしくは鉄被覆エラストマー材料などの磁気材料から作られた第３のシールド６２をシールド付きディファレンシャル対に与えてシースを付け、漏話および電磁的干渉を実質的に減じるか、全くなくしてもよい。
【００２０】
構築されテストされた実施例に従った上述のシールド付きディファレンシャル対は、高品質で、軽量で、耐久性のある、広い周波数範囲に対するデータ転送リンクを確実にする。当業者においては他の材料およびシールドが想起されるであろうし、それらを用いてもよいが、長期間持続する性能に対して柔軟性を備えた完全なシールディングが確実にされなければ、性能は低下するおそれがある。
【００２１】
図４は、この発明のインターフェイスケーブルアセンブリ１４のリンクケーブル１８部分の断面図である。図３に関連して説明したように構築された同一のシールド付きディファレンシャル対８０は、押出しなどの従来の技術を用いて軟質ポリ塩化ビニル（ＰＶＣ）などの弾性のある絶縁材料から形成されたシースまたはジャケット８２内に、４つのシールド付きディファレンシャル対ごとのディファレンシャル対ワイヤ５０−５２が平面状に配向されてリンクケーブル１８がいくぶん平坦になる態様で並列の関係で配置される。これにより永久的に反射減衰量特性を変化させるかまたは漏話障害をもたらすことなく、リンクケーブルを折り曲げるか屈曲させることができる。シールド付きディファレンシャル対８０は、電気的パラメータにおいて好ましくない変化を引き起こすことなく実際に互いに接触するか、または示されるように網状に覆うＰＶＣ材料によって分離される。
【００２２】
軟質ＰＶＣジャケットで絶縁されてテープで巻かれる６本の２８ＡＷＧ銅導体ワイヤを含む信号ワイヤリボンケーブル８４は、シールドドレインワイヤ６０とは反対側にシールド付きディファレンシャル対に沿って配置される。リボンケーブル８４は、一方の端部ではインターフェイスアダプタ１６に接続され、他方の端部ではパーソナリティモジュール２０に接続され、テスト器具１０がパーソナリティモジュール２０内のＥＥＰＲＯＭ４２と通信することができるよう制御およびデータ信号を搬送する。
【００２３】
５０インチ（１．２７メートル）の長さと図４に示されるジオメトリとを有するプロトタイプのリンクケーブルが、信号減衰、漏話、および反射減衰量パラメータに対して限度を特定した１メガヘルツ（ＭＨｚ）から３５０ＭＨｚの範囲にわたって動作するよう設計された。最大の信号減衰に対する設計限度は１ＭＨｚでの０．１５デシベル（ｄＢ）から３５０ＭＨｚでの０．５ｄＢの範囲にわたる。漏話に対する設計仕様は、１ＭＨｚでの８５ｄＢから３５０ＭＨｚでの７９．６ｄＢの範囲にわたる一方、反射減衰量に対する仕様は、同じ周波数範囲で３５ｄＢから２９．６の範囲にわたり得る。ここに説明されるよう製作されるリンクケーブルにおいて、６００ＭＨｚまたはそれ以上の周波数範囲さえもが達成されると思われる。
【００２４】
図５は、コネクタパーソナリティモジュール２０のリンクケーブル１８への接続を示す図である。終端ブロック１００は、リンクケーブル１８の遠端に固定して装着される。終端ブロック１００は、好適には１対のばね荷重接触子アセンブリ１０４および１０６がはんだ付けされたプリント回路板１０２を含み得る。リンクケーブル１８内に格納されるすべてのワイヤは、プリント回路板１０２などの終端ブロック１００にはんだ付けされ、電気的に導通する導体がワイヤをばね荷重接触子アセンブリに接続する。
【００２５】
コネクタパーソナリティモジュール２０は好適に、終端ブロック１００のばね荷重接触子に対応する接触パッドを有するプリント回路板を含み得る。上述のＥＥＰＲＯＭ４２はプリント回路板上に搭載されてもよく、これも上述のコネクタ２４からのコネクタのリードは、回路板にはんだ付けされる。ＥＥＰＲＯＭ４２のピンおよびコネクタ２４のリードは、プリント回路板に導通する導体によって接触パッドに電気的に接続される。
【００２６】
終端ブロック１００は、ばね荷重接触子と接触パッドとが整列するようコネクタパーソナリティモジュール２０を受ける。コネクタパーソナリティモジュール２０は、ばね荷重接触子アセンブリの間に挿入されるねじ１１０によって例示されるロック機構によって終端ブロックに固定される。ねじ１００が締められると、均一な圧力がばね荷重接触子の上に分布し、ばね荷重接触子が圧縮されて良好な電気的接触が確実になる。ばね荷重接触子と接触パッドとは、高周波信号を通過させるための高品質のコネクタを確保するために好ましくは金めっきされる。
【００２７】
この発明に従って、リンクインターフェイスケーブルアセンブリの記載において説明の目的で４つのディファレンシャルワイヤ対を説明してきたが、当業者においてはケーブルアセンブリはいくつのディファレンシャル対によっても製造されることが理解されるであろう。また、シールド付きディファレンシャル対によって製作されたリンクケーブルを説明してきたが、低い性能のシールド付き撚り対線を用いてもよく、当業者においてはシールド付き撚り対線をフラットケーブル内に並列の関係で配置して製作することも容易に理解されるであろう。別の代替例は、ディファレンシャル対を螺旋状にした混合型のディファレンシャル撚り対を用いることであろう。しかしながら、撚りまたは螺旋状加工を用いたいずれの対線においても、対線がコイル状に巻かれた場合に応力を受け、電気的特性に累積する変化がもたらされることを参酌しなければならない。
【００２８】
したがって、結果として生じるリンクインターフェイスケーブルアセンブリは、最小限の漏話を示し、耐久性があり、信頼性のある「フラット」ケーブルであって、不所望にディファレンシャル対に応力を与えるかまたは永久的にケーブル性能特性を変化させることなく湾曲または屈曲させることができると認識される。インターフェイスアダプタおよびコネクタパーソナリティモジュールの両方にストアされる較正データは、「パッチコード」固有の反射減衰量が周波数の広い範囲にわたってネットワークケーブル測定値から除去されることを可能にする。さらに、リンクインターフェイスケーブルアセンブリは、交換可能なコネクタパーソナリティモジュールを特徴とする一方で、ネットワークポートに対して常に較正されている。
【００２９】
この発明の好ましい実施例を例示し説明してきたが、当業者においてはこの発明から逸脱することなく広い局面においてさまざまな変化および修正を加え得ることが明らかであろう。したがって、前掲の特許請求の範囲はすべてのそのような変化および修正を発明の真の範囲内に包含することが企図される。
【図面の簡単な説明】
【図１】  この発明に従った、リンクインターフェイスケーブルアセンブリを介してネットワークに接続されるＬＡＮケーブルテスト器具の図である。
【図２】  この発明に従った、リンクインターフェイスケーブルアセンブリの概略図である。
【図３】  この発明のリンクケーブル部分において用いられる単一ディファレンシャル対の構造の詳細を示す図である。
【図４】  この発明のリンクケーブル部分の断面図である。
【図５】  交換可能コネクタパーソナリティモジュールのリンクケーブルへの接続を示す図である。
【符号の説明】
１０  ネットワークケーブルテスト器具、１２  ネットワーク、１４  リンクインターフェイスケーブルアセンブリ、１８  リンクケーブル。
【図１】
0004014851.tif 000002
【図２】
0004014851.tif 000003
【図３】
0004014851.tif 000004
【図４】
0004014851.tif 000005
【図５】
0004014851.tif 000006